(57)【要約】【課題】まぐさの組付け時の作業性を向上させることができる建物を得る。【解決手段】工場内において、壁パネル１６のスタッド１６Ａの上部から、上枠ランナ１６Ｂに沿ってまぐさ１８を延出させているため、建築地において、壁パネル１６を床面に組付けた後は、まぐさ受け金物１５を介して、まぐさ１８を壁パネル１４の柱部１３の上部に組付けるだけである。つまり、まぐさ１８の自由端を壁パネル１４、１６にそれぞれ固定させる必要はなく、作業工数が削減され、まぐさ１８の組付け時の作業性を向上させることができる。【選択図】図１
2011042996.tif 000002
【特許請求の範囲】
【請求項１】
一方の壁パネルと、
前記一方のパネルに対して、隙間を空けて、かつ直交して配置された他方の壁パネルと、
前記他方の壁パネルの隙間側の上端部に片持ち支持され、自由端を前記一方の壁パネルに固定することにより、下方に開口部が形成される横架材と、
を有する建物。
【請求項２】
前記横架材が前記他方の壁パネルの上端部に沿って延出している請求項１に記載の建物。
【請求項３】
前記横架材が前記他方の壁パネルの上端部に回転可能に取付けられている請求項１に記載の建物。
【請求項４】
前記横架材の自由端に設けられた係止部と、
前記一方の壁パネルに設けられると共に、前記係止部の移動軌跡上に配置され、前記横架材を回転させて水平に配置したときに前記係止部が係止される被係止部と、
を有する請求項３に記載の建物。
【請求項５】
前記横架材と前記他方の壁パネルの間に筋交いが設けられた請求項１〜４の何れか１項に記載の建物。
【請求項６】
前記筋交いが伸縮可能となっている請求項５に記載の建物。
【発明の詳細な説明】
【技術分野】
【０００１】
本発明は、壁パネルを用いた建物に関する。
【背景技術】
【０００２】
従来の建物の場合、パネルの種類として、位置決め基準となる柱を含んだ所謂勝パネルと、当該柱を含まない所謂負パネルと、が存在するが、パネルの組付けに際しては、勝パネルが床面に先付けされてから、負パネルが勝パネルに対して直角になるように組付けられる。
【０００３】
このとき、出入口となる開口部を設ける際には、勝パネルに対して隙間を空けて負パネルが組付けられる。そして、この負パネルが組付けられた後、開口部の上部に所謂まぐさが持ち上げられ、まぐさの両端部が負パネル及び勝パネルにそれぞれ組付けられる。このため、従来の手法では、組付け作業が繁雑であった。
【先行技術文献】
【特許文献】
【０００４】
【特許文献１】特許第４１３７７６３号公報
【発明の概要】
【発明が解決しようとする課題】
【０００５】
本発明は上記事実を考慮し、まぐさ等の横架材の組付け時の作業性を向上させることができる建物を得ることが目的である。
【課題を解決するための手段】
【０００６】
請求項１に記載の発明は、建物において、一方の壁パネルと、前記一方のパネルに対して、隙間を空けて、かつ直交して配置された他方の壁パネルと、前記他方の壁パネルの隙間側の上端部に片持ち支持され、自由端を前記一方の壁パネルに固定することにより、下方に開口部が形成される横架材と、を有している。
【０００７】
請求項１に記載の発明では、他方の壁パネルの隙間側の上端部に横架材が片持ち支持されるため、一方の壁パネルに対して直交して他方の壁パネルを配置して、横架材の自由端を一方の壁パネルに固定することにより、横架材の下方に開口部が形成される。
【０００８】
従来では、一方の壁パネルと他方の壁パネルの間で開口部を設ける場合、横架材の両端部をそれぞれ一方の壁パネルと他方の壁パネルに固定させていたが、ここでは、横架材の自由端を一方の壁パネルに固定させるだけなので、作業工数が削減される。
【０００９】
請求項２に記載の発明は、請求項１に記載の建物において、前記横架材が前記他方の壁パネルの上端部に沿って延出している。
【００１０】
請求項２に記載の発明では、他方の壁パネルの上端部に沿って横架材が延出して片持ち状態となっている。このため、一方の壁パネルに対して他方の壁パネルを直交させた状態で、他方の壁パネルを床面に組付けると横架材は所定の高さに配置されることとなる。したがって、横架材を持ち上げる必要がない。
【００１１】
請求項３に記載の発明は、請求項１に記載の建物において、前記横架材が前記他方の壁パネルの上端部に回転可能に取付けられている。
【００１２】
請求項３に記載の発明では、横架材が他方の壁パネルの上端部に回転可能に取付けられており、横架材を回転させて水平に配置する。横架材が他方の壁パネルの上端部に沿って延出された状態では、他方の壁パネルの搬送時や組付け時に邪魔になる場合もある。このため、他方の壁パネルの搬送時には、横架材を他方の壁パネルの縦枠に沿って配置し、横架材の組付け時に、横架材を回転させて他方の壁パネルの上端部に沿って延出させる。
【００１３】
請求項４に記載の発明は、請求項３に記載の建物において、前記横架材の自由端に設けられた係止部と、前記一方の壁パネルに設けられると共に、前記係止部の移動軌跡上に配置され、前記横架材を回転させて水平に配置したときに前記係止部が係止される被係止部と、を有している。
【００１４】
請求項４に記載の発明では、横架材の自由端に係止部を設け、一方の壁パネルには被係止部を設けている。この被係止部は、係止部の移動軌跡上に配置されており、横架材を回転させて水平に配置すると係止部が被係止部に係止される。換言すると、横架材を回転させ、横架材の係止部が被係止部に係止されると、横架材は水平に配置される。このため、作業性がよい。
【００１５】
請求項５に記載の発明は、請求項１〜４の何れか１項に記載の建物において、前記横架材と前記他方の壁パネルの間に筋交いが設けられている。
【００１６】
請求項５に記載の発明では、横架材と他方の壁パネルの間に筋交いを設けることで、横架材の荷重を支持して、横架材と他方の壁パネルとの間で垂直度を出すことができる。
【００１７】
請求項６に記載の発明は、請求項５に記載の建物において、前記筋交いが伸縮可能となっている。
【００１８】
請求項６に記載の発明では、筋交いを伸縮可能とすることで、他方の壁パネルの組付け時に筋交いを伸長させて横架材を支持する。これにより、横架材の組付け時に横架材の高さを確保することができる。また、横架材と他方の壁パネルとの直線状態を維持して所謂壁の通りを出すことができる。さらに、床面に対して他方の壁パネルの垂直度を出すことができ、また、一方の壁パネルに対して他方の壁パネルの垂直度を出すことができる。
【００１９】
つまり、筋交いを用いて他方の壁パネルを自立させることができるため、他方の壁パネルの組付け時に、倒れ防止用の副資材を使って他方の壁パネルを保持する必要がなくなる。
【発明の効果】
【００２０】
請求項１記載の本発明に係る建物によれば、まぐさ等の横架材の組付け時の作業性を向上させることができる。
【００２１】
請求項２記載の本発明に係る建物によれば、重量物の持ち上げ作業が無くなるため、横架材の組付け時の作業労力を軽減させることができる。
【００２２】
請求項３記載の本発明に係る建物によれば、状況に応じて、横架材の位置を変えることができる。
【００２３】
請求項４記載の本発明に係る建物によれば、横架材を簡単に片持ち状態にすることができる。
【００２４】
請求項５記載の本発明に係る建物によれば、横架材を補強することができる。
【００２５】
請求項６記載の本発明に係る建物によれば、コストの削減が図られると共に建築地での作業工数が削減される。
【図面の簡単な説明】
【００２６】
【図１】本実施形態に係る建物の屋内の一部を示す分解斜視図である。
【図２】第１実施形態に係る建物の負パネル側から見た要部を説明する斜視図である。
【図３】第１実施形態に係る建物の作用を説明する正面図である。
【図４】第２実施形態に係る建物の負パネル側から見た要部を説明する斜視図である。
【図５】第２実施形態に係る建物の作用を説明する動作図である。
【図６】第２実施形態に係る建物の勝パネル側から見た要部を説明する斜視図である。
【図７】第２実施形態に係る建物に用いられたまぐさの取付け方法の一例を説明する正面図である。
【発明を実施するための形態】
【００２７】
以下、図１〜図７を用いて、本実施の形態に係る建物について説明する。
【００２８】
図１には、スチールハウス等の建物１０の室内（屋内）の一部が示されている。ここでは、床パネル１２上に壁パネル１４及び壁パネル１６が立設しており、平面視で壁パネル１４に対して壁パネル１６が隙間を空けて直交した状態で配置されている。壁パネル１４と壁パネル１６の間に設けられた隙間には横架材１８が配置されており、横架材１８の下方には開口部２０が形成されている。
【００２９】
以下、この横架材１８を「まぐさ１８」という。なお、ここでは、開口部２０の上部にまぐさ１８を用いているが、所謂垂れ壁を用いても良い。つまり、本発明の「横架材」には、所謂まぐさや垂れ壁が含まれる。
【００３０】
＜第１実施形態＞
【００３１】
ここで、図１を参照して第１実施形態について説明する。
図１に示されるように、壁パネル１４は、床パネル１２に対して位置決め基準となる柱部１３を含んで構成されており、壁パネル１４が組付けられた後、この壁パネル１４に対して位置決めされた状態で壁パネル１６が組付けされる。このように、先に組付けされる壁パネル１４を所謂勝パネルといい、壁パネル１６を所謂負パネルという。
【００３２】
本実施形態では、この負パネルとされる壁パネル１６のスタッド（所謂縦枠）１６Ａの上部から、上枠ランナ（所謂上枠）１６Ｂに沿ってまぐさ１８が延出し、まぐさ１８が片持ち状態で支持されている。このため、壁パネル１４に対して隙間を空けて壁パネル１６を床面２２に組付けると、まぐさ１８は壁パネル１４に対して所定の高さ（開口部２０の上部）に配置されることとなる。
【００３３】
ここで、まぐさ１８は、一例として、図２に示されるように、一対のリップ付き溝形鋼３０、３２を備えており、リップ３０Ａ、３２Ａ同士を対面させた状態でリップ付き溝形鋼３０、３２が配置され、リップ付き溝形鋼３０、３２のフランジ３０Ｂ、３２Ｂが一対の溝形鋼３４、３６によってそれぞれ覆われている。
【００３４】
一方、壁パネル１４の柱部１３には、まぐさ受け金物１５が取付けられている。このまぐさ受け金物１５はリップ付き溝形鋼から成っており、まぐさ１８のリップ付き溝形鋼３０、３２のフランジ３０Ｂ、３２Ｂ及びウエブ３０Ｃ、３２Ｃが、上方からまぐさ受け金物１５のフランジ１５Ａを外側から覆うようにして外挿される。
【００３５】
このため、リップ付き溝形鋼３０、３２の自由端側では、リップ３０Ａ、３２及びフランジ３０Ｂ、３２Ｂがウエブ３０Ｃ、３２Ｃよりも短くなるように切り欠かれ、ウエブ３０Ｃ、３２Ｃのみが張出した状態とされ、まぐさ受け金物１５が挿通可能となっている。また、ウエブ３０Ｃ、３２Ｃの上端部には、爪部３３が形成されており、まぐさ１８を上方からまぐさ受け金物１５へ外挿したとき、当該爪部３３がフランジ１５Ａの上端部に係止される。
【００３６】
これにより、まぐさ受け金物１５へリップ付き溝形鋼３０、３２が外挿された状態で、まぐさ受け金物１５を介して、まぐさ１８の自由端側が支持されることとなる。この状態で、図示はしないが、タッピングネジなどによって、ウエブ３０Ｃ、３２Ｃがフランジ１５Ａにそれぞれ留め付けられる（まぐさ１８が組付けられる）。
（作用・効果）
【００３７】
本実施形態では、工場内において、壁パネル１６のスタッド１６Ａの上部から、上枠ランナ１６Ｂに沿ってまぐさ１８を延出させることで、建築地において、壁パネル１６を床面２２に組付けた後は、まぐさ受け金物１５を介して、まぐさ１８の自由端を壁パネル１４の柱部１３の上部に組付けるだけとなる。つまり、まぐさ１８の両端を壁パネル１４、１６にそれぞれ固定させる必要はなく、作業工数が削減され、横架材の組付け時の作業労力を軽減させることができる。
【００３８】
また、まぐさ１８は、予め壁パネル１６のスタッド１６Ａの上部に片持ち状態で支持されているため、まぐさ１８を所定の高さまで持ち上げる必要はないので、重量物の持ち上げ作業による作業労力を軽減させることができる。
【００３９】
ところで、まぐさ１８は１ｍ当たり約１０Ｋｇの重さがあるため、まぐさ１８が片持ち状態では、撓みなどにより、まぐさ１８と壁パネル１６の間で垂直状態を維持することが困難な場合も生じる。
【００４０】
このため、図３の仮想線で示されるように、まぐさ１８の下面と壁パネル１６のスタッド１６Ａの間に、筋交い２４を配置しても良い。つまり、筋交い２４の一端部をまぐさ１８の下面に当接させ、筋交い２４の他端部を壁パネル１６のスタッド１６Ａに当接させて、筋交い２４を突っ張らせることで、まぐさ１８の荷重を支持して、まぐさ１８と壁パネル１６の間で垂直状態を維持することができる。
【００４１】
ここで、筋交い２４は、図３の実線で示されるように伸縮可能とされており、外筒２４Ａ及び内筒２４Ｂを備え、外筒２４Ａ及び内筒２４Ｂに形成されたネジ部（図示省略）によって、内筒２４Ｂが外筒２４Ａに対して出入可能とされている。この内筒２４Ｂの出入によって筋交い２４の長さが変わる。
【００４２】
筋交い２４の内筒２４Ｂを外筒２４Ａ内から引出し、筋交い２４を伸ばした状態では、筋交い２４がまぐさ１８の下面と床パネル１２の上面に接触可能となる。ここで、筋交い２４の一端部をまぐさ１８の下面に当て、筋交い２４の他端部をまぐさ１８の真下の床面２２に当てて、筋交い２４を突っ張らせることで、まぐさ１８の先端部の組付け時に、まぐさ１８の高さを確保することができる。
【００４３】
また、筋交い２４の一端部をまぐさ１８の下面に当て、筋交い２４の他端部をまぐさ１８の真下よりも図面手前側又は奥側の床面２２に当てて、筋交い２４を突っ張らせることで、まぐさ１８を押圧して、壁パネル１６に対するまぐさ１８の直線性を確保して壁の通りを良くすることができる。
【００４４】
さらに、壁パネル１６の組付け時に筋交い２４を伸ばしてまぐさ１８を支持するようにすることで、床パネル１２に対して壁パネル１６の垂直度を出すことができ、また、壁パネル１４に対して壁パネル１６の垂直度を出すことができる。
【００４５】
つまり、筋交い２４を用いて壁パネル１６を自立させることができるため、壁パネル１６の組付け時に、倒れ防止用の副資材を使って壁パネル１６を保持する必要がなくなり、コストの削減が図られると共に建築地での作業工数が削減される。
【００４６】
なお、ここでは、筋交い２４を伸縮可能とし、壁パネル１６の組付け時に、この筋交い２４を利用するようにしたが、筋交い２４は必ずしも伸縮可能である必要はなく、図３の仮想線で示されるように、まぐさ１８の下面と壁パネル１６のスタッド１６Ａの間に、配置するためにのみ使用しても良い。
【００４７】
＜第２実施形態＞
【００４８】
次に、図４〜図７を参照して第２実施形態について説明する。なお、第１実施形態と略同一の内容については説明を省略する。
【００４９】
図４及び図５に示されるように、壁パネル１６のスタッド１６Ａの上部には、後述するまぐさ受け金物４４が取付けられており、まぐさ受け金物４４の下方には、蝶番（回転部材）２６の一端側が取付けられている。この蝶番２６の他端側は、まぐさ２８の一端部に取付けられており、蝶番２６を介して、まぐさ２８が壁パネル１６に対して鉛直方向へ回転可能となっている。
【００５０】
第１実施形態では、工場内において、壁パネル１６の上枠ランナ１６Ｂに沿ってまぐさ１８を延出させるようにしたが、本実施形態では、建築地において、壁パネル１６に対してまぐさ２８を回転させて、壁パネル１６の上枠ランナ１６Ｂに沿ってまぐさ２８を延出させるようにする。このため、まぐさ２８の移動軌跡上でまぐさ２８を壁パネル１４（図６参照）に仮止めさせる。
【００５１】
図４に示されるように、まぐさ２８は、第１実施形態で説明したまぐさ１８と同様に、一対のリップ付き溝形鋼３０、３２を備えており、リップ３０Ａ、３２Ａ同士を対面させた状態でリップ付き溝形鋼３０、３２が配置され、このリップ付き溝形鋼３０、３２のフランジ３０Ｂ、３２Ｂ側がそれぞれ溝形鋼３４、３６で覆われている。
【００５２】
そして、上記に加え、まぐさ２８の自由端部には係止部３８が設けられており、リップ付き溝形鋼３０、３２が、後述するまぐさ受け金物（被係止部）４２のウエブ４２Ａの高さ分、溝形鋼３４、３６から露出している。まぐさ２８の上面側に位置するリップ付き溝形鋼３０、３２のフランジ３０Ｂ、３２Ｂはそれぞれ切り落とされており、ウエブ３０Ｃ、３２Ｃの端部には、内側へ向かって折れ曲がった爪部（係止部）４０がそれぞれ形成されている。
【００５３】
図６に示されるように、壁パネル１４の柱部１３の上部には、まぐさ２８の係止部３８に設けられた爪部４０が係止されるまぐさ受け金物４２が取付けられている。このまぐさ受け金物４２はリップ付き溝形鋼から成っており、まぐさ１８の係止部３８がまぐさ受け金物４２を外側から覆うようにして外挿される。
【００５４】
このとき、係止部３８の爪部４０がまぐさ受け金物４２のフランジ４２Ａと干渉するが、係止部３８では、溝形鋼３０、３２が存在しないため、爪部４０同士は外側へ弾性変形可能となっている。そして、爪部４０がまぐさ受け金物４２の上端面に到達すると、爪部４０は復元し、図５に示されるように、まぐさ受け金物４２のフランジ４２Ａの上端部に係止される（仮止めされる）。
【００５５】
一方、前述したように、壁パネル１６のスタッド１６Ａの上部には、まぐさ受け金物４４が設けられているが、まぐさ受け金物４２と同様、リップ付き溝形鋼から成っている。このまぐさ受け金物４４がまぐさ２８の回転中心側を支持する。
【００５６】
このまぐさ受け金物４４は、まぐさ２８の係止部３８を壁パネル１４に仮止めさせた状態で、まぐさ２８の回転中心側のリップ付き溝形鋼３０、３２のフランジ３０Ｂ、３２Ｂがまぐさ受け金物４４のフランジ４４Ａ及びウエブ４４Ｂの上端面に接触することでまぐさ２８を支持する。なお、まぐさ受け金物４４のフランジ４４Ａの上端面は、まぐさ２８の移動軌跡に合わせて、リップ付き溝形鋼３０、３２のフランジ３０Ｂ、３２Ｂが干渉しないように面取りされている。
【００５７】
以上のように、まぐさ受け金物４２、４４によって支持されたまぐさ２８は、図示はしないが、タッピングネジなどによって、まぐさ受け金物４２、４４のフランジ３０Ｂ、３２Ｂに留め付けられる（まぐさ２８が組付けられる）。
【００５８】
ところで、本実施形態では、まぐさ２８の自由端側を上方へ向かって回転させるが、例えば、図７に示されるように、クレーン４６を利用しても良い。この場合、まぐさ２８の自由端側に吊りロープ（ナイロンスリング）４８を巻掛け、まぐさ２８の回転中心側を基点としてまぐさ２８をクレーン４６で持ち上げる。これにより、まぐさ２８の自由端部に設けられた係止部３８の爪部４０がまぐさ受け金物４２の上端部に係止されると共に、まぐさ２８の回転中心側がまぐさ受け金物４４に支持される。
【００５９】
（作用・効果）
本実施形態では、予め工場内において、壁パネル１６のスタッド１６Ａの上部にまぐさ２８の一端部を回転可能に取付けておき、建築地の組付け時に、まぐさ２８の他端部を回転させるだけでまぐさ２８が壁パネル１４と壁パネル１６の間に配置され仮止めされる。つまり、壁パネル１６の搬送時や組付け時には、スタッド１６Ａに沿ってまぐさ２８を配置することができるため、まぐさ２８が邪魔になることもない。このように、状況に応じて、まぐさ２８の位置を変えることができるため、便利である。
【００６０】
〔上記実施形態の補足説明〕
上記実施形態では、壁パネル１６のスタッド１６Ａの上部にまぐさ２８の一端部を取付けたが、壁パネル１６に対してまぐさ２８を回転させることで壁パネル１４と壁パネル１６の間にまぐさ２８を配置することができれば良いため、これに限るものではない。
【００６１】
例えば、図示はしないが、壁パネル１６の上枠ランナ１６Ｂの上面又はスタッド１６Ａの上部に蝶番の一端側を取付け、上枠ランナ１６Ｂの上面にまぐさ２８を重ねるようにしても良い。この場合、上枠ランナ１６Ｂの上面にまぐさ２８が重なった状態でまぐさ２８の下面側となる位置に爪部４０を設け、まぐさ受け金物４４に対して上方から爪部４０が係止されるようにする。また、ここでは、まぐさ２８の回転方向は鉛直方向であったが、水平方向の回転であっても良い。
【符号の説明】
【００６２】
１０        建物
１４        壁パネル（一方のパネル）
１６        壁パネル（他方のパネル）
１８        まぐさ（横架材）
２０        開口部（開口）
２４        筋交い
２６        蝶番（回転部材）
４０        爪部（係止部）
４２        まぐさ受け金物（被係止部）
【図１】
2011042996.tif 000003
【図２】
2011042996.tif 000004
【図３】
2011042996.tif 000005
【図４】
2011042996.tif 000006
【図５】
2011042996.tif 000007
【図６】
2011042996.tif 000008
【図７】
2011042996.tif 000009